(57)【要約】  磁気カード等の磁気記録媒体の真贋判定の信頼性の高い手段を提供する。  磁気記録媒体の認証方法は、磁気記録媒体の記録領域に設けられた少なくとも１つの磁気トラックに書き込み信号を用いて基本情報を書き込む基本情報書込み、記録領域に設けられた少なくとも他の１つの磁気トラックに前記書込み信号を任意の量だけずらした書込み信号を用いて認証情報を書き込み、前記他の磁気トラックからの読取り信号に基づき、または前記１つの磁気トラックからの読取り信号と前記他の磁気トラックからの読取り信号とを比較することにより前記ずらし量に基づく認証情報を生成し、前記認証情報に基づいて記録媒体の認証を実行する。【特許請求の範囲】
【請求項１】
記録領域に基本情報が磁気的に記録される磁気記録媒体を認証する磁気記録媒体の認証方法において、
前記記録領域に設けられた少なくとも１つの磁気トラックに書き込み信号を用いて基本情報を書き込む基本情報書込みステップと、
前記記録領域に設けられた少なくとも他の１つの磁気トラックに前記書込み信号を任意の量だけずらした書込み信号を用いて認証情報を書き込む認証情報書込みステップと、
前記他の磁気トラックからの読取り信号に基づき、または前記１つの磁気トラックからの読取り信号と前記他の磁気トラックからの読取り信号とを比較することにより前記ずらし量に基づく認証情報を生成する認証情報生成ステップと、
前記認証情報に基づいて前記記録媒体の認証を実行する認証ステップと、
を含むことを特徴とする磁気記録媒体の認証方法。
【請求項２】
前記任意のずらし量は、書込み信号の周期に関する量である請求項１に記載の磁気記録媒体の認証方法。
【請求項３】
前記任意のずらし量は、書込み信号の振幅に関する量である請求項１に記載の磁気記録媒体の認証方法。
【請求項４】
前記任意のずらし量は、書込み信号の周期および振幅に関する量である請求項１に記載の磁気記録媒体の認証方法。
【請求項５】
前記認証情報生成ステップにより生成された認証情報は、前記磁気記録媒体とは別の管理サーバーに記録される請求項１から４のうちのいずれか１項に記載の磁気記録媒体の認証方法。
【請求項６】
前記認証情報生成ステップにより生成された認証情報は、前記磁気記録媒体に記録される請求項１から４のうちのいずれか１項に記載の磁気記録媒体の認証方法。
【請求項７】
前記磁気記録媒体の前記基本情報が正規に書き換えられるときには、前記基本情報書込みステップ、前記認証情報書込みステップおよび前記認証情報生成ステップを再度実行することにより新たな認証情報を生成する請求項１から６のうちのいずれか１項に記載の磁気記録媒体の認証方法。
【請求項８】
記録領域に基本情報が磁気的に記録される磁気記録媒体を認証する磁気記録媒体の認証システムにおいて、
前記記録領域に設けられた少なくとも１つの磁気トラックに書き込み信号を用いて基本情報を書き込む基本情報書込み手段と、
前記記録領域に設けられた少なくとも他の１つの磁気トラックに前記書込み信号を任意の量だけずらした書込み信号を用いて認証情報を書き込む認証情報書込み手段と、
前記他の磁気トラックからの読取り信号に基づき、または前記１つの磁気トラックからの読取り信号と前記他の磁気トラックからの読取り信号とを比較することにより前記ずらし量に基づく認証情報を生成する認証情報生成手段と、
前記認証情報に基づいて前記記録媒体の認証を実行する認証手段と、
を備えることを特徴とする磁気記録媒体の認証システム。
【請求項９】
前記任意のずらし量は、書込み信号の周期に関する量である請求項８に記載の磁気記録媒体の認証システム。
【請求項１０】
前記任意のずらし量は、書込み信号の振幅に関する量である請求項８に記載の磁気記録媒体の認証システム。
【請求項１１】
前記任意のずらし量は、書込み信号の周期および振幅に関する量である請求項８に記載の磁気記録媒体の認証システム。
【請求項１２】
前記認証情報生成手段により生成された認証情報は、前記磁気記録媒体とは別の管理サーバーに記録される請求項８から１１のうちのいずれか１項に記載の磁気記録媒体の認証システム。
【請求項１３】
前記認証情報生成手段により生成された認証情報は、前記磁気記録媒体に記録される請求項８から１１のうちのいずれか１項に記載の磁気記録媒体の認証システム。
【請求項１４】
前記磁気記録媒体の前記基本情報が正規に書き換えられるときには、前記基本情報書込み手段、前記認証情報書込み手段および前記認証情報生成手段を再度作動させることにより新たな認証情報を生成する請求項８から１３のうちのいずれか１項に記載の磁気記録媒体の認証システム。
【請求項１５】
記録領域に基本情報が磁気的に記録される磁気記録媒体を認証するための認証情報を生成するための磁気記録媒体の認証情報生成装置において、
前記記録領域に設けられた少なくとも１つの磁気トラックに書き込み信号を用いて基本情報を書き込む基本情報書込み手段と、
前記記録領域に設けられた少なくとも他の１つの磁気トラックに前記書込み信号を任意の量だけずらした書込み信号を用いて認証情報を書き込む認証情報書込み手段と、
前記他の磁気トラックからの読取り信号に基づき、または前記１つの磁気トラックからの読取り信号と前記他の磁気トラックからの読取り信号とを比較することにより前記ずらし量に基づく認証情報を生成する認証情報生成手段と、
を備えることを特徴とする磁気記録媒体の認証情報生成装置。
【請求項１６】
前記認証情報生成手段は、前記読取り信号を正規化する正規化装置と、前記正規化された読取り信号を比較する波形判定装置とを含む請求項１５に記載の磁気記録媒体の認証情報生成装置。
【請求項１７】
前記認証情報生成手段は、前記読取り信号から補間曲線を作成し、ピークシフト量を求めるピークシフト特定装置と、該ピークシフト特定装置によって作成された補間曲線にて前記読取り信号を正規化する波形正規化装置と、該波形正規化装置によって正規化された前記読取り信号を、前記ピークシフト特定装置によって求められたピークシフト量に基づいてピークシフトの補正を行うピークシフト補正装置と、前記正規化されピークシフト補正された前記読取り信号を比較する波形判定装置とを含む請求項１５に記載の磁気記録媒体の認証情報生成装置。
【請求項１８】
記録領域に基本情報が磁気的に記録される磁気記録媒体を認証するための磁気記録媒体の認証装置において、
書き込み信号を用いて基本情報が書き込まれた前記記録領域に設けられた少なくとも１つの磁気トラックを読み取って基本情報に関する基本情報読取り信号を生成する基本情報読取り手段と、
前記書き込み信号を任意の量だけずらした書き込み信号を用いて前記記録領域の少なくとも他の１つの磁気トラックを読み取って認証情報に関する認証情報読取り信号を生成する認証情報読取り手段と、
前記認証情報読取り手段により生成された認証情報読取り信号に基づき、または前記基本情報読取り手段により生成された基本情報読取り信号と前記認証情報読取り手段によって生成された認証情報読取り信号とを比較することにより、読取り認証情報を生成する読取り認証情報生成手段と、
前記読取り認証情報生成手段によって読み取られた読取り認証情報と別に記録された真正の認証情報とを比較することにより前記磁気記録媒体の認証を行う認証手段と、
を備えることを特徴とする磁気記録媒体の認証装置。
【請求項１９】
前記読取り認証情報生成手段は、前記読取り信号を正規化する正規化装置と、前記正規化された読取り信号を比較する波形判定装置とを含む請求項１８に記載の磁気記録媒体の認証装置。
【請求項２０】
前記読取り認証情報生成手段は、前記読取り信号から補間曲線を作成し、ピークシフト量を求めるピークシフト特定装置と、該ピークシフト特定装置によって作成された補間曲線にて前記読取り信号を正規化する波形正規化装置と、該波形正規化装置によって正規化された前記読取り信号を、前記ピークシフト特定装置によって求められたピークシフト量に基づいてピークシフトの補正を行うピークシフト補正装置と、前記正規化されピークシフト補正された前記読取り信号を比較する波形判定装置とを含む請求項１８に記載の磁気記録媒体の認証装置。
【請求項２１】
基本情報が記録領域に記録される磁気記録媒体において、前記記録領域に設けられた少なくとも１つの磁気トラックに書き込み信号を用いて基本情報が書き込まれ、前記記録領域に設けられた少なくとも他の１つの磁気トラックに前記書込み信号を任意の量だけずらした書込み信号を用いて認証情報が書き込まれ、前記他の磁気トラックからの読取り信号に基づき、または前記１つの磁気トラックからの読取り信号と前記他の磁気トラックからの読取り信号とを比較することにより前記ずらし量に基づく認証情報が生成され、当該認証情報に基づいて磁気記録媒体の認証を実行できるようにしたことを特徴とする磁気記録媒体。
【請求項２２】
生成された前記認証情報の内容が、本磁気記録媒体に記録されるようにした請求項２１に記載の磁気記録媒体。
【発明の詳細な説明】
【技術分野】
【０００１】
本発明は、磁気情報の書き換えを行わない読み出し専用の磁気カードの他、磁気情報の書き換えを行う磁気カードにも適用可能な、磁気記録媒体認証方法、磁気記録媒体認証システム及び認証可能な磁気記録媒体に関する。
【背景技術】
【０００２】
クレジットカード、プリペイドカード、キャッシュカード、ポイントカード等、個人情報や金額の度数情報等が記録された各種カードが、広く普及している。偽造や変造等によって、これらのカードが不正使用されることが社会的に大きな問題となっており、それに対する対策が求められている。磁性体に情報を記録する磁気カードにおいては、読み出し／書き込み装置（リーダ／ライタ）の機構精度が低い環境下で情報の読み出し／書き込みを行う必要があるので、書き込むことのできる情報量が少なく、応用範囲が限られる上、読み出し／書き込み装置によって容易に情報を書き換えることができるため、不正な書き換えが行われる危険性が高い。【０００３】
このような不正使用に対する対策として、従来から種々な技術が開発され提案されているが、これら技術の多くは、これまでに普及している磁気カードと、製造方法及び運用面において互換性がなく、したがって、これまでに普及しているインフラのものと使用することができないものがほとんどであった。【０００４】
そこで、本発明者は、先に、本人以外の不正な使用や記録内容の不正な書き換え等があった場合に直ちにその旨を検出でき、しかも、従来からの磁気カードとの互換性をある程度維持できる磁気カードの認証方法、認証システム、そして、このような方法で認証できる磁気カードを開発し提案した。このような本発明者が提案した技術は、国際公開番号ＷＯ０３／１０２９２５  Ａ１号公報に開示されているように、磁気カードデータに雑音を重畳させて書き込み、読み取り時にモーターのふらつきによる波形の乱れを正規化してから信号成分を抜き取り、雑音成分を解析して、データ化するものである。【０００５】
また、磁気データ書込みにおいては、書込み信号は正確なクロックから作られる１ｆおよび２ｆの２波で行なわれるのが普通であるが、読み出した波形は、書込み時の個々のヘッドの特性、駆動系のばらつき等により、正確な１対２の長さにはならない。これは書き込む度に、微妙に違い、磁気データ固有の特徴になり得るので、これを利用して磁気カードの偽造防止を行なう技術が種々提案されている。例えば、特開平１０−１４９４１７号公報には、磁気カードに記録された磁気信号のジッタを暗号化して磁気カードに記録しておくことにより、偽造防止効果を達成しようとする技術が開示されている。【０００６】
【特許文献１】国際公開番号ＷＯ０３／１０２９２５  Ａ１号公報
【特許文献２】特開平１０−１４９４１７号公報
【発明の開示】
【発明が解決しようとする課題】
【０００７】
しかしながら、本発明者が先に提案した技術では、雑音成分の周波数がデータ波形に比べて圧倒的に高いので、従来の読み取り機、及び書き込み機に比べ、より高い周波数の扱える機器が必要になるという問題がある。また、リードヘッド、カードに付着する手垢、汚れ、折れ、曲がり等のリード条件の悪化に対し、データの信頼性より雑音成分の信頼性が低くなってしまうという問題がある。【０００８】
また、特開平１０−１４９４１７号公報等に開示されたような技術では、高度の読出し装置や、実際に読出しを行なった際に起こるピークシフト等の影響等、読取り時の波形の狂いの方が大きく、実用化とはなっていない。【０００９】
したがって、本発明の目的は、前述したような従来技術の問題点を解消し、しかも、データそのものと同等、または、それ以上の信頼性を確保し、なおかつ第三者の解読を著しく困難なものとすることができるような磁気記録媒体の認証方法、磁気記録媒体の認証システム、および認証可能な磁気記録媒体を提供することである。
【課題を解決するための手段】
【００１０】
本発明の一つの観点によれば、記録領域に基本情報が磁気的に記録される磁気記録媒体を認証する磁気記録媒体の認証方法において、前記記録領域に設けられた少なくとも１つの磁気トラックに書き込み信号を用いて基本情報を書き込む基本情報書込みステップと、前記記録領域に設けられた少なくとも他の１つの磁気トラックに前記書込み信号を任意の量だけずらした書込み信号を用いて認証情報を書き込む認証情報書込みステップと、前記他の磁気トラックからの読取り信号に基づき、または前記１つの磁気トラックからの読取り信号と前記他の磁気トラックからの読取り信号とを比較することにより前記ずらし量に基づく認証情報を生成する認証情報生成ステップと、前記認証情報に基づいて前記記録媒体の認証を実行する認証ステップと、を含むことを特徴とする磁気記録媒体の認証方法が提供される。【００１１】
本発明の別の観点によれば、記録領域に基本情報が磁気的に記録される磁気記録媒体を認証する磁気記録媒体の認証システムにおいて、前記記録領域に設けられた少なくとも１つの磁気トラックに書き込み信号を用いて基本情報を書き込む基本情報書込み手段と、前記記録領域に設けられた少なくとも他の１つの磁気トラックに前記書込み信号を任意の量だけずらした書込み信号を用いて認証情報を書き込む認証情報書込み手段と、前記他の磁気トラックからの読取り信号に基づき、または前記１つの磁気トラックからの読取り信号と前記他の磁気トラックからの読取り信号とを比較することにより前記ずらし量に基づく認証情報を生成する認証情報生成手段と、前記認証情報に基づいて前記記録媒体の認証を実行する認証手段と、を備えることを特徴とする磁気記録媒体の認証システムが提供される。【００１２】
本発明の一つの実施の形態によれば、前記任意のずらし量は、書込み信号の周期に関する量である。【００１３】
本発明の別の実施の形態によれば、前記任意のずらし量は、書込み信号の振幅に関する量である。【００１４】
本発明のさらに別の実施の形態によれば、前記任意のずらし量は、書込み信号の周期および振幅に関する量である。【００１５】
本発明のさらに別の実施の形態によれば、前記認証情報生成ステップまたは手段により生成された認証情報は、前記磁気記録媒体とは別の管理サーバーに記録される。【００１６】
本発明のさらに別の実施の形態によれば、前記認証情報生成ステップまたは手段により生成された認証情報は、前記磁気記録媒体に記録される。【００１７】
本発明のさらに別の実施の形態によれば、前記磁気記録媒体の前記基本情報が正規に書き換えられるときには、前記基本情報書込みステップ、前記認証情報書込みステップおよび前記認証情報生成ステップを再度実行することにより新たな認証情報を生成する。【００１８】
本発明のさらに別の実施の形態によれば、前記磁気記録媒体の前記基本情報が正規に書き換えられるときには、前記基本情報書込み手段、前記認証情報書込み手段および前記認証情報生成手段を再度作動させることにより新たな認証情報を生成する。【００１９】
本発明のさらに別の観点によれば、記録領域に基本情報が磁気的に記録される磁気記録媒体を認証するための認証情報を生成するための磁気記録媒体の認証情報生成装置において、前記記録領域に設けられた少なくとも１つの磁気トラックに書き込み信号を用いて基本情報を書き込む基本情報書込み手段と、前記記録領域に設けられた少なくとも他の１つの磁気トラックに前記書込み信号を任意の量だけずらした書込み信号を用いて認証情報を書き込む認証情報書込み手段と、前記他の磁気トラックからの読取り信号に基づき、または前記１つの磁気トラックからの読取り信号と前記他の磁気トラックからの読取り信号とを比較することにより前記ずらし量に基づく認証情報を生成する認証情報生成手段と、を備えることを特徴とする磁気記録媒体の認証情報生成装置が提供される。【００２０】
本発明の一つの実施の形態によれば、前記認証情報生成手段は、前記読取り信号を正規化する正規化装置と、前記正規化された読取り信号を比較する波形判定装置とを含む。【００２１】
本発明の別の実施の形態によれば、前記認証情報生成手段は、前記読取り信号から補間曲線を作成し、ピークシフト量を求めるピークシフト特定装置と、該ピークシフト特定装置によって作成された補間曲線にて前記読取り信号を正規化する波形正規化装置と、該波形正規化装置によって正規化された前記読取り信号を、前記ピークシフト特定装置によって求められたピークシフト量に基づいてピークシフトの補正を行うピークシフト補正装置と、前記正規化されピークシフト補正された前記読取り信号を比較する波形判定装置とを含む。【００２２】
本発明のさらに別の観点によれば、記録領域に基本情報が磁気的に記録される磁気記録媒体を認証するための磁気記録媒体の認証装置において、書き込み信号を用いて基本情報が書き込まれた前記記録領域に設けられた少なくとも１つの磁気トラックを読み取って基本情報に関する基本情報読取り信号を生成する基本情報読取り手段と、前記書き込み信号を任意の量だけずらした書き込み信号を用いて前記記録領域の少なくとも他の１つの磁気トラックを読み取って認証情報に関する認証情報読取り信号を生成する認証情報読取り手段と、前記認証情報読取り手段により生成された認証情報読取り信号に基づき、または前記基本情報読取り手段により生成された基本情報読取り信号と前記認証情報読取り手段によって生成された認証情報読取り信号とを比較することにより、読取り認証情報を生成する読取り認証情報生成手段と、前記読取り認証情報生成手段によって読み取られた読取り認証情報と別に記録された真正の認証情報とを比較することにより前記磁気記録媒体の認証を行う認証手段と、を備えることを特徴とする磁気記録媒体の認証装置が提供される。【００２３】
本発明の一つの実施の形態によれば、前記読取り認証情報生成手段は、前記読取り信号を正規化する正規化装置と、前記正規化された読取り信号を比較する波形判定装置とを含む。【００２４】
本発明の別の実施の形態によれば、前記読取り認証情報生成手段は、前記読取り信号から補間曲線を作成し、ピークシフト量を求めるピークシフト特定装置と、該ピークシフト特定装置によって作成された補間曲線にて前記読取り信号を正規化する波形正規化装置と、該波形正規化装置によって正規化された前記読取り信号を、前記ピークシフト特定装置によって求められたピークシフト量に基づいてピークシフトの補正を行うピークシフト補正装置と、前記正規化されピークシフト補正された前記読取り信号を比較する波形判定装置とを含む。【００２５】
本発明のさらに別の観点によれば、基本情報が記録領域に記録される磁気記録媒体において、前記記録領域に設けられた少なくとも１つの磁気トラックに書き込み信号を用いて基本情報が書き込まれ、前記記録領域に設けられた少なくとも他の１つの磁気トラックに前記書込み信号を任意の量だけずらした書込み信号を用いて認証情報が書き込まれ、前記他の磁気トラックからの読取り信号に基づき、または前記１つの磁気トラックからの読取り信号と前記他の磁気トラックからの読取り信号とを比較することにより前記ずらし量に基づく認証情報が生成され、当該認証情報に基づいて磁気記録媒体の認証を実行できるようにしたことを特徴とする磁気記録媒体が提供される。【００２６】
本発明の一つの実施の形態によれば、前記磁気記録媒体は、生成された前記認証情報の内容が、本磁気記録媒体に記録されるようにしている。
【発明を実施するための最良の形態】
【００２７】
次に、添付図面に基づいて、本発明の実施の形態および実施例について、本発明をより詳細に説明する。【００２８】
なお、以下では、磁気記録媒体としていわゆる磁気カードを例に挙げ、後述の認証情報書き込み装置及び認証情報読み出し装置も、磁気カード用に特化したものについて説明するが、本発明を適用できる磁気記録媒体はいわゆる磁気カードには限らず、情報を磁気的に記録する磁気記録媒体であっていわゆる認証が必要なもの全般を含むことを意図している。【００２９】
図１は、一般的な磁気カード１０の部分に形成された磁気記録領域１２と、これら磁気記録領域１２に対して情報を書き込んだり、これら磁気記録領域１２から情報を読み出したりするための磁気ヘッド１８との関係を示す概略斜視図である。磁気記録領域１２は、磁気カード１０の基体面に直接塗布された磁性体、或いは磁気カード１０の基体面に貼付された、磁性体層が塗布されたフィルム等から形成されており、図１の例では、この磁気記録領域１２には、３つの磁気トラック１２ａ、１２ｂ，１２ｃが形成されている。磁気トラック１２ａ、１２ｂ、１２ｃには、この磁気カード本来の機能を果たすための基本情報が記録される。【００３０】
この基本情報は、読み出し専用であってもよいし、書き換え可能であってもよい。磁気カードの用途が銀行のキャッシュカードやクレジット会社のクレジットカードのようなものであれば、読み出し専用とされ、基本情報として所有者の名前、口座番号、クレジットカード番号、発行年月日等が予め記録される。一方、磁気カードの用途がプリペイドカードのようなものであれば、基本情報として使用金額や使用度数等が記録され、これらの基本情報はカードの頒布後に書き換えることができる。【００３１】
図２は、本発明による磁気記録媒体の認証方法を、図１に関して説明したような磁気カードに適用できるようにした認証システムの全体構成を示すブロック図である。この図２に示されるように、この実施例の認証システムは、主として、外部インターフェース部２１と、第１の磁気ヘッド１８ａと、第２の磁気ヘッド１８ｂと、カードリーダ主制御部２２と、書込み信号生成器２３と、波形変形装置２４と、乱数発生器２５と、第１のドライバ２６と、第２のドライバ２７と、第１の増幅器２８と、第２の増幅器２９と、波形正規化装置３０と、波形判定装置３１と、信号読取器３２とを備えている。第１の磁気ヘッド１８ａは、例えば、磁気カード１０の磁気トラック１２ａのようなトラックＡに対する信号の書き込みおよび読み取りを行うためのものであり、第２の磁気ヘッド１８ｂは、例えば、磁気カード１０の磁気トラック１２ｂのようなトラックＢに対する信号の書き込みおよび読み取りを行うためのものである。第１のドライバ２６は、第１の磁気ヘッド１８ａに対する信号の書き込みおよび読み取り動作を行うためのものであり、第２のドライバ２７は、第２の磁気ヘッド１８ｂに対する信号の書き込みおよび読み取り動作を行うためのものである。第１の増幅器２８は、第１の磁気ヘッド１８ａによって読み取られた信号を増幅するためのものであり、第２の増幅器２９は、第２の磁気ヘッド１８ｂによって読み取られた信号を増幅するためのものである。外部インターフェース部２１は、例えば、本システムをサーバーコンピュータ等に接続することができるようにするためのものである。【００３２】
前述した各構成部分のうち、第１の磁気ヘッド１８ａ、第２の磁気ヘッド１８ｂ、書込み信号生成器２３、波形変形装置２４、乱数発生器２５、第１のドライバ２６および第２のドライバ２７は、本認証システムのうちの認証情報書込み部を構成し、第１の磁気ヘッド１８ａ、第２の磁気ヘッド１８ｂ、第１の増幅器２８、第２の増幅器２９、波形正規化装置３０、波形判定装置３１および信号読取器３２は、本認証システムのうちの認証情報読取り部を構成している。【００３３】
先ず、本認証システムのうちの認証情報書込み部の動作について説明する。図３は、磁気カードのトラックに基本情報としてのデータを、波形の幅によって行う場合の書込み信号を例示する図である。図３に例示されているように、この信号例では、波形幅１とその倍の波形幅を持つ、２種類の波形により、１と０の２進数化を行いデータを書き込む。図３の（Ａ）は、第１のドライバ２６を介して第１の磁気ヘッド１８ａによって磁気カード１０のトラックＡに書き込まれる書込み信号の波形を例示し、この書込み信号波形に応じてトラックＡの磁性体に形成される磁化パターンを対応させて例示している。同様に、図３の（Ｂ）は、第２のドライバ２７を介して第２の磁気ヘッド１８ｂによって磁気カード１０のトラックＢに書き込まれる書込み信号の波形を例示し、この書込み信号波形に応じてトラックＢの磁性体に形成される磁化パターンを対応させて例示している。図３の(Ｃ)は、このような書込み動作を制御する基準クロックの波形を例示している。【００３４】
図３の（Ｂ）に例示するトラックＢに対する書込み信号は、書込み信号生成器２３によって生成され、直接的に、第２のドライバ２７および第２の磁気ヘッド１８ｂを介してトラックＢに書き込まれるものであるが、図３の（Ａ）に例示するトラックＡに対する書込み信号は、書込み信号生成器２３によって生成された同一の書込み信号を、本発明によって、波形変形装置２４によって変形された後、第１のドライバ２６および第１の磁気ヘッド１８ａを介してトラックＡに書き込まれるものである。すなわち、波形変形装置２４は、乱数発生器２５によって任意に発生される乱数に基づいて、書込み信号生成器２３によって生成された書込み信号を、図３に参照符号Ｔで示すように、時間的にずれた波形へと変形するものである。図４の（Ａ）は、トラックＡとトラックＢに同時に書き込むための電圧波形の一例を示している。トラックＡの信号にはトラックＢの信号と比較した時、電圧の強さ（データの高さ：縦軸）や時間成分（データの幅：横軸）を意図的にずらしたものを書き込むことになる。【００３５】
なお、本発明によれば、トラックＡへの書込み信号波形を、トラックＢへ書込む信号波形に対して時間的にずらす代わりに、振幅をずらすようにしてもよい。また、図４の（Ａ）に例示するように、トラックＡへの書込み信号波形を、トラックＢへ書込む信号波形に対して時間的にずらすと共に、振幅をずらすようにしてもよい。さらにまた、このような波形変形を、乱数発生器２５から任意に発生される乱数に基づいて行うものとしたが、本発明は、このような乱数によって波形変形するものに限らず、同様に任意かつ無数の変形信号を作り出せるものであれば、任意の波形変形装置を用いることができる。【００３６】
次に、本認証システムのうちの認証情報読取り部の動作について説明する。以下の説明では、磁気カード１０のトラックＡおよびＢには、図４の（Ａ）に例示したような書込み信号にてそれぞれ基本情報としてデータが記録されているものとする。磁気カード１０のトラックＡに記録された信号は、第１の磁気ヘッド１８ａにより、トラックＢに記録された信号は、第２の磁気ヘッド１８ｂにより、それぞれ読み取られ、且つ第１の増幅器２８および第２の増幅器２９によりそれぞれ増幅される。ここで注意すべき点は、書き込むデータの長さは、クロックの正確な逓倍にて作られるため、非常に正確なものとなっているが、カードリーダ／ライタ等における磁気カードの移動スピードのむら等により実際の書き込まれたデータの長さはそう正確なものではない。すなわち、カードのスピードがどんどん速くなっていけば、データの幅は広がって書かれる。読取り時にも磁気カードの移動スピードのむら等は発生するため、データを読み取るときは、常に前のデータの長さを基準とするような工夫がいる。これも、急激なスピード変動があれば出来ないので、書き込み機、または読み取り機はある程度緩やかなスピード変動に抑える工夫がしてある。図４の（Ｂ）は、トラックＡとトラックＢに同時に書き込んだものを読み取った信号で、リーダ／ライタの書き込みヘッドや読み込みヘッドの取付け位置の微妙な誤差等の機械的に発生したデータのイニシャル位置のずれは補正し、合せたものを例示している。書き込み時と読み込み時のリーダ／ライタの駆動系（モータ等）の速度のふらつき等に起因して、データの高さやデータの幅が伸縮したものが読み取り信号として読み取られるのである。【００３７】
一般的に秘密の鍵をデータになんらかの方法で重畳させて、これを解読する時、基準となる信号は、データしかないので、データを正確な幅と高さを、どんなリーダーで読んだときでも、同一とするような技術が必要である。これを、波形の正規化という。このような波形の正規化の技術自体は、公知の技術であるが、以下その一例について説明しておく。【００３８】
カードリーダ／ライタにおいて、磁気カードのスピードが直線的に変化するならば簡単であるが、実際はモーターのサーボ系も含めて速くなったり遅くなったりとふらつく。このため、スピードの変化曲線は３次曲線で近似できる。当然のことながら、データを読むたびに、この曲線は変わる。以下、この曲線を、補間曲線と呼ぶ。補間は、１の幅および２の幅、データにより切り分けて行うことはいうまでもない。補間曲線は、データ幅の補間とデータの高さの補間との両方を行う。こうして、出来上がったデータ波形から、目的の秘密鍵を取り出すことになるのである。【００３９】
このような波形の正規化について、図５から図６を特に参照して、より詳細に説明しておく。補間曲線にはさまざまなものが提案されているが、ここでは、磁気カードを走行させるという物理的な操作を考慮し、一階微分と二階微分が連続しているという、すなわち、滑らかであるという特徴を持つ三次スプライン補間曲線を利用するものについて説明する。図５は、カードリーダによる再生波形の例と、その再生波形の振幅を正規化した波形の例と、さらに周期を正規化した波形の例を並置して示している。この波形の正規化においては、三次スプライン補間を用いて先ず振幅軸の変換関数を求める。元の波形にこの変換関数を適用して振幅軸に正規化された波形、すなわち、一定の振幅をもつ波形を得る。次に、同様な方法で時間軸の変換関数を求め、振幅と周期が一定の正規化波形を得る。【００４０】
図６は、周期の正規化を説明するための図であり、この図６に示すように、時間軸のピーク配列peakＸ[]は等間隔にならないのが普通である。peakＸ[]を横軸にとり、そのインデックスを縦軸にとると、そのプロットは右上がりの多少蛇行するような軌跡をとる。縦軸をｘ軸としてこのプロットを三次スプライン補間曲線でつなげたものをＧｍ（ｘ）とする。当然のことながら、縦軸のインデックスは等間隔に並ぶ。縦軸をｘ軸とすればＧｍ（ｘ）によって任意の分解能に対応するpeakＸ[]上の時刻を取得でき、そこから波形Ｗｎ１（ｘ）の振幅を得ることができる。この操作によって周期２に正規化された波形Ｗｎ２（ｘ）を求めることができる。【００４１】
本発明による認証情報読取り部の動作の説明に戻ると、図４の（Ａ）に例示する書き込み信号が記録された磁気カードのトラックＡおよびＢから第１の磁気ヘッド１８ａおよび第２の磁気ヘッド１８ｂによりそれぞれ読み取られ、それぞれ第１の増幅器２８および第２の増幅器２９にて増幅された読み取り信号を、図４の（Ｂ）にそれぞれ例示している。波形正規化装置３０は、前述したような波形の正規化を行うものであり、図７は、この波形正規化装置３０により、それぞれデータの幅（周期）を正規化された各トラックからの読み取り信号波形を例示しており、この図７に示されるように、トラックＢのデータの幅をそろえるための３次スプライン補間曲線を求めて、その補間曲線により、トラックＡのデータの幅も補間している。図８は、この波形正規化装置３０により、それぞれデータの高さ（振幅）を正規化された各トラックからの読み取り信号波形を例示しており、この図８に示されるように、トラックＢのデータの高さをそろえるための３次スプライン補間曲線を求めて、その補間曲線により、トラックＡのデータの高さも補間している。【００４２】
もし、トラックＡおよびＢの二つのトラックに同時に別々のデータを書き込み、例えば、トラックＢの補間曲線でトラックＡおよびＢの双方を補間しても、トラックＡおよびＢの双方のデータのピーク点は一定間隔で並ぶはずである。同一ヘッド、同一カード上での書き込みのため、両トラック上のデータの変動は同じとなる。この時、もし、前述したようにトラックＡのデータを意図的に長くしたり、短くして書き込んでおくと、トラックＢの補間曲線によるトラックＡの補間でこの時間方向のずれを取り出すことができる。このとき、トラックＢのデータは、正規の長さであることは言うまでもない。このずれを暗号または秘密鍵、すなわち、認証情報として使うことができる。また、この時、もし、前述したようにトラックＡのデータを意図的に高くしたり、低くしたりして書き込んでおくと、トラックＢの補間曲線によるトラックＡの補間でこの振幅のずれを取り出すことができる。このずれも、暗号または秘密鍵、すなわち、認証情報として使うことができる。図９は、振幅のずれを検出する例を説明するための図であり、図１０は、時間方向のずれを検出する例を説明するための図である。【００４３】
図９に示す振幅のずれを検出する例では、波形判定装置３１は、振幅に対する所定の閾値を設定しておき、その閾値を越えた時を検出することにより、トラックＡから読み取られ正規化された信号波形から、その振幅のずれに応じたずれ波形を有した検出信号を生成する。図１０に示す時間方向のずれを検出する例では、トラックＡから読み取られた正規化された信号波形とトラックＢから読み取られた信号波形との間の各対応する頂点の時間方向のずれ幅に応じたずれ波形を有した検出信号を生成する。すなわち、トラックＢの信号から求めた補間曲線でトラックＡの信号を正規化しているため、一定の間隔で存在するトラックＢの頂点の位置と、一定間隔では存在しないトラックＡの信号の頂点とのずれを検出している。【００４４】
このような検出信号のずれ波形は、前述した認証情報書込み部の波形変形装置２４によって、乱数発生器２５から任意に発生された乱数に基づいて変形されたトラックＡへの書込み信号の、トラックＢへの書込み信号とのずれを指示するものである。したがって、磁気カード毎に、そのデータの書込み時に乱数発生装置２５から発生される乱数の相違によって、これらのずれは異なるものとなる。かくして、このようなずれを、各磁気カードが真正なものであることを指示する認証情報として使用できるのである。換言するならば、このような各磁気カード毎に生成されるずれを、各磁気カード毎に別途記録または記憶しておくことにより、波形判定装置３１による検出信号によるずれと、この記録または記憶されたずれとを比較することにより、そのずれが一致したときには、その磁気カードは真正なものであると認証でき、また、そのずれが一致しないときには、その磁気カードは真正なものではないと判定することができるのである。【００４５】
このような認証情報としてのずれは、図９および図１０を参照して説明した以外に、幅または高さのずれを数値として記録または記憶してもよいし、閾値を何点か決め大雑把な数値として記録または記憶してもよいし、２進数値化して記録または記憶するようにしてもよい。すなわち、図９および図１０を参照して説明した方法等で検出した信号を数値化し、真贋判定用の鍵として使用するのであるが、数値化の方法は既存の方法だけでも無数にある。例えば、検出した信号の有無により２値化する方法、信号自体の幅やある検出信号から次の検出信号までの時間間隔を測定し、その時間を数値として利用する方法、信号のずれの大きさにより２値化する方法等種々な方法が考えられる。なお、このような認証情報としてのずれは、カードリーダ主制御部２２のメモリ等に記録または記憶させるようにしてもよいし、磁気カード自体の任意の部分に記録または記録させておくようにしてもよい。さらにまた、このような認証情報は、銀行や各種ストア等に配置されて使用されるカードリーダ／ライタを管理するサーバコンピュータに記録または記憶させるようにしてもよい。【００４６】
信号読取器３２は、トラックＢから読み取られた波形変形のなされていないデータ信号を受けて、基本情報のデータとしてカードリーダ主制御部２２へ送るようにする。【００４７】
次に、本発明の別の実施例について説明する。図１１は、本発明の別の実施例としての磁気記録媒体の認証方法を実施する認証システムの全体構成を示すブロック図である。一般的に、磁気記録系における再生パルス波形においてビット間隔がある値より小さくなると急に波形が干渉（磁気変化の遅れ）して、波高値が低下するとともにパルスの位置ずれが起こる。これを、ピークシフトという。前述した実施例では、読取り信号におけるピークシフトの影響がないものとしてトラックＡの読取り信号とトラックＢの読取り信号とのずれを検出していたのであるが、実際に読み出しを行う際にはピークシフトが生ずるので、このピークシフトの影響を考慮しなければ認証情報の正確性を高めることはできない。図１１の実施例は、このようなピークシフトの影響を考慮して、より正確な認証情報の読み取りが行えるようにするものである。【００４８】
図１１の実施例のシステム構成は、図２の実施例のシステム構成において、第１の増幅器２８および第２の増幅器２９と波形正規化装置３０との間にピークシフト特定装置３３を配置し、また、波形正規化装置３０と波形判定装置３１との間にピークシフト補正装置３４を配置した以外は、図２の実施例のシステム構成と実質的に同じである。したがって、ここでは、図１１においては、対応する構成部分については、図２において使用したのと同じ参照符号を付して示し、その詳細構成および動作については繰り返し説明しないことにし、以下、相違する構成部分および動作についてのみ説明することにする。【００４９】
図２の実施例に関して前述したのと同様に、図１１のシステムの各構成部分のうち、第１の磁気ヘッド１８ａ、第２の磁気ヘッド１８ｂ、書込み信号生成器２３、波形変形装置２４、乱数発生器２５、第１のドライバ２６および第２のドライバ２７は、本認証システムのうちの認証情報書込み部を構成し、第１の磁気ヘッド１８ａ、第２の磁気ヘッド１８ｂ、第１の増幅器２８、第２の増幅器２９、ピークシフト特定装置３３、波形正規化装置３０、ピークシフト補正部３４、波形判定装置３１および信号読取器３２は、本認証システムのうちの認証情報読取り部を構成している。【００５０】
本認証システムのうちの認証情報書込み部の動作については、図２の実施例の認証情報書込み部の動作と実質的に同じであるので、ここでは繰り返し説明せず、以下、認証情報読取り部の動作についてのみ詳述する。以下の説明では、図２の実施例の説明と同様に、磁気カード１０のトラックＡおよびＢには、図１２の（Ａ）に例示したような書込み信号にてそれぞれ基本情報としてデータが記録されているものとする。すなわち、前述の実施例において説明したのと同様に、トラックＡのデータは、トラックＢのデータに対して意図的に長くしたり短くされたりしている。換言するならば、トラックＢの書込み信号を基準となる幅を持った波形とし、トラックＡの書込み信号は、トラックＢの幅からずらした波形を書き込んでいる。磁気カード１０のトラックＡに記録された信号は、第１の磁気ヘッド１８ａにより、トラックＢに記録された信号は、第２の磁気ヘッド１８ｂにより、それぞれ読み取られ、且つ第１の増幅器２８および第２の増幅器２９によりそれぞれ増幅される。図１２の（Ｂ）は、これらの読取り信号を示している。ここで注意すべき点は、図２の実施例の説明において述べたことと同じである。また、読取り時に発生するピークシフトにより、実際には幅方向のずれだけでなく、振幅方向でのずれも発生するのであるが、ここでは説明を簡単化するため、図１２の（Ｂ）に例示する読取り信号は、磁気カード１０のトラックＡとトラックＢから、磁気ヘッド１８ａおよび１８ｂを通じて同時に読取った信号を、振幅方向のずれはないものとして示したものである。【００５１】
次に、ピークシフト特定装置３３の動作について説明する。一般に、Ｆ２Ｆ信号では、「１」と「０」の２値データの場合、「１」を表す波形は「０」の波形の２倍の周波数で表す（その逆に「０」を表す波形を「１」の波形の２倍の周波数で表してもよい）。２値データの信号の組み合わせ（次の値への移行）は、「０」→「０」、「０」→「１」、「１」→「０」、「１」→「１」の４パターンが存在するが、読み取り信号においては、そのうち「０」→「１」、「１」→「０」のみで周波数の長い方のピークが、周波数の短い方にずれてしまうピークシフトという現象が発生する。図１３は、図１２の（Ｂ）に示した読取り信号においてこのようなピークシフトが生じている個所を特定して示している。図１３においてＰＳ部と付した個所がピークシフトの生じている個所である。本実施例では、このようなピークシフトの影響を除去してより正確な認証が行えるようにするものであるので、この段階では、ピークシフト特定装置３３によって、「０」→「１」、「１」→「０」の変化点をピークシフトが発生している部分として特定する。【００５２】
さらに、ピークシフト特定装置３３は、トラックＢの読取り信号から補間曲線を作成してピークシフト量を求める。図１４は、このための手順を説明するための図である。先ず、ピークシフト特定装置３３は、図１３に例示したようなトラックＢの波形の内、ピークシフトが起こっていないと判定したピーク点（図１４において○印で示す）から、補間曲線ＩＣを作成する。さらに、ピークシフト特定装置３３は、作成した補間曲線ＩＣと、図１３に例示したようなトラックＢの波形の内、ピークシフトが起こっていると判定した部分（図１４において×印で示す）とのずれから、ピークシフト量の近似値（本実施例では、図１４に示すようなＰＳ＿Ｂ１、ＰＳ＿Ｂ２、ＰＳ＿Ｂ３、ＰＳ＿Ｂ４、ＰＳ＿Ｂ５、ＰＳ＿Ｂ６の６点の値）を求める。【００５３】
次に、波形正規化装置３０およびピークシフト補正装置３４の動作について説明する。波形正規化装置３０は、ピークシフト特定装置３３によって前述したようにして得られた補間曲線ＩＣにて、トラックＢの読取り信号の波形を正規化する。さらに、ピークシフト補正装置３４は、波形正規化装置３０によって正規化した波形を、ピークシフト特定装置３３によって前述したようにして得られたピークシフト量の近似値（本実施例でＰＳ＿Ｂ１からＰＳ＿Ｂ６の６点の値）にてピーク位置の補正を行う。図１５は、このピーク位置の補正を説明するための図であり、この図１５に矢印で示した方向にピーク位置をずらすことにより、元の書込み信号に対する理想的な読取り信号を再現することができる。【００５４】
次いで、波形正規化装置３０は、ピークシフト特定装置３３で前述したようにして得られた補間曲線ＩＣにて、トラックＡの読取り信号の波形の正規化を行う。図１６は、このようにして正規化されたトラックＡの読取り信号を示している。さらに、ピークシフト補正装置３４は、波形正規化装置３０によって正規化したトラックＡの読取り信号の波形のピークシフト発生部分をトラックＢから推測される値にて補正する。すなわち、図１７に示すように、波形正規化装置３０によって前述したようにして正規化されたトラックＡの波形の内、ピークシフトが発生している点（ＰＳ＿Ａ１、ＰＳ＿Ａ２、ＰＳ＿Ａ３、ＰＳ＿Ａ４、ＰＳ＿Ａ５、ＰＳ＿Ａ６、ＰＳ＿Ａ７の７点）に直近の位置にある、ピークシフト補正装置３４にて前述したようにして得たトラックＢのピークシフト量の値にて補正を行う。【００５５】
前述したようにしてピークシフトの補正を行うのであるが、もし、データ中における１１、および００のデータ量が正確な補間曲線を作成する上で不足する場合には、データの中に、冗長な００、または１１を組み入れることも考えられる。また、本実施例は、読取り信号のピークシフトを補正する方法の一例であり、本発明は、これに限定されない。また、書込み信号をあらかじめピークシフトを見越した波形に変形しておくことにより、ピークシフトを見かけ上発生していないようにすることも可能である。【００５６】
図１８は、前述したようにして正規化およびピークシフトの補正がなされたトラックＡとトラックＢの波形を並置して示しており、波形判定装置３１は、図２の実施例におけると同様に、図１８のトラックＡの波形とトラックＢの波形との間の周期のずれ部分を検出するのである。以降のシステムの動作は、図２の実施例に関して説明したのと同様であるので、繰り返し説明はしない。【００５７】
前述したことから明らかなように、クレジットカードや銀行のキャッシュカード等の読み出し専用カードにこのシステムを適用すると、上記のようにして得られる認証情報によって、発行されたすべてのカードを個々に特定することが可能となる。これを利用すると、例えば、次のような利用態様が考えられる。磁気カードには、基本情報として、所有者を特定する情報（氏名、口座番号、クレジットカード番号等）が磁気記録領域に記録される他、カードの表面にも人間が読み取れるようにその内容を表示する。磁気カードの供給業者は、すべての磁気カードの基本情報及び認証情報をサーバコンピュータに記録しておく。カード使用者が磁気カードを使用するときは、磁気カードの読み出し装置は、基本情報の他に認証情報を読み出す。読み出し装置は、通信回線を介して当該サーバーコンピュータにアクセスし、読み取った基本情報及び認証情報をコンピュータに記録されている基本情報及び認証情報と照合する。その際、両者が一致していれば、そのカードの使用は本人による適正な使用と判断する。【００５８】
一方、基本情報は本人の使用であることを示しているが、認証情報が一致しない場合は、そのカードの使用は不正な使用であると判断する。これは、例えば、ある磁気カードから基本情報を読み出し、その基本情報を別の磁気カードに書き写して偽造したような場合と考えられる。このような磁気カードは、基本情報については元のものと同じであるが、前述したような認証情報としての磁気カードのトラック間の信号のずれが生成されるように信号が書き込まれていないからである。したがって、このような場合は直ちにその使用を拒絶する。これにより、悪意の使用者が他人の磁気カードの基本情報を不正に入手し、これを基に偽造した磁気カードを、本人になりすまして利用するといった不正使用を確実に防止することができる。【００５９】
別の利用態様としては、認証情報を磁気カードの基本情報とは別の位置に記録しておくことも考えられるし、また、基本情報に含ませるようにすることも考えられる。悪意の使用者が、ある磁気カードに記録された基本情報と認証情報を不正に入手し、これに基づいて磁気カードを偽造したとしても、偽造された磁気カードから得られる信号波形のずれは、元の磁気カードと異なる。したがって、その偽造された磁気カードから抽出された認証情報と、磁気カードに記録された元のカードの認証情報とを照合し、一致しなければ、直ちに不正使用と判断することができる。このように、読み出し装置自身が、その読み取った認証情報と、磁気カードに記録されている認証情報との一致、不一致を確認するようにすれば、磁気カードの読み出し装置が一々サーバーコンピュータにアクセスするという手順を省くことができ、通信コスト及び通信に係る手間を削減することができる。【００６０】
一方、プリペイドカードのように基本情報が書き換えられる磁気カードの場合は、認証情報としての検出波形のずれは、基本情報が書き換えられるたびに変化する。したがって、検出波形のずれに基づく認証情報も、基本情報が書き換えられるたびに変化する。しかしながら、磁気カードの基本情報が書き換えられるたびに、検出波形のずれと、これを基にした認証情報を生成し、これを毎回新たな認証情報として、基本情報とは別のところに記録するようにすれば、読み出し専用の磁気カードの場合と同様に取り扱うことができる。【００６１】
さらに、本実施形態の磁気カードには、従来からの磁気カード用リーダ／ライタとの互換性を担保できるという特徴がある。前述したことから明らかなように、本認証システムにおける認証情報の磁気カードへの書き込みについては、従来のカードリーダ／ライタに波形変形装置２４、乱数発生器２５等を付加するだけで可能である。したがって、基本情報については、従来からの読み出し装置を用いて本実施形態の磁気カードからその内容を読み出すことができる。したがって、本実施形態の認証情報の読み出し／書き込みが可能な装置と置き換わってゆくまでのつなぎとして、従来の装置を使い続けることができる。逆に、従来からの磁気カードを、本実施形態の認証情報に対応する磁気カード用リーダ／ライタを用いて、従来通りの用途での読み出し／書き込みを行うことができる。
【産業上の利用可能性】
【００６２】
本発明に係る磁気記録媒体の認証方法、磁気記録媒体の認証システム及び認証可能な磁気記録媒体は、クレジットカード等の読み取り専用の磁気カード及びプリペイドカード等の書き換え可能な磁気カード等、情報を磁気的に記録する記録媒体であって、いわゆる認証が必要となるもの全般の製造、流通、販売その他において利用することが可能である。
【図面の簡単な説明】
【００６３】
【図１】磁気カードと磁気ヘッドとの関係を示す概略斜視図である。
【図２】本発明による磁気記録媒体の認証方法を実施する認証システムの全体構成を示すブロック図である。
【図３】磁気カードのトラックに基本情報としてのデータを、波形の幅によって行う場合の書込み信号を例示する図である。
【図４】書込み信号と読取り信号とを例示する図である。
【図５】カードリーダによる再生波形の例と、その再生波形の振幅を正規化した波形の例と、さらに周期を正規化した波形の例を並置して示す図である。
【図６】周期の正規化を説明するための図である。
【図７】波形正規化装置によりデータの幅を正規化された各トラックからの読み取り信号波形を例示する図である。
【図８】波形正規化装置によりデータの高さを正規化された各トラックからの読み取り信号波形を例示する図である。
【図９】振幅のずれを検出する例を説明するための図である。
【図１０】時間方向のずれを検出する例を説明するための図である。
【図１１】本発明の別の実施例としての磁気記録媒体の認証方法を実施する認証システムの全体構成を示すブロック図である。
【図１２】図１１の実施例における書込み信号と読取り信号とを例示する図である。
【図１３】図１２に例示した読取り信号におけるピークシフト発生部分を特定して示す図である。
【図１４】図１２に例示したトラックＢの読取り信号から補間曲線を作成し、トラックＢのピークシフト量を求める手順を説明するための図である。
【図１５】図１２に例示したトラックＢの読取り信号の正規化とピークシフト補正を説明するための図である。
【図１６】図１２に例示したトラックＡの読取り信号の正規化を説明するための図である。
【図１７】図１２に例示したトラックＡの読取り信号のピークシフト補正を説明するための図である。
【図１８】正規化およびピークシフト補正を行なった図１２に例示したトラックＡおよびトラックＢの読取り信号の周期のずれ部分の検出を説明するための図である。
【符号の説明】
【００６４】
１０  磁気カード
１２  磁気記録領域
１２ａ  磁気トラック
１２ｂ  磁気トラック
１２ｃ  磁気トラック
１８  磁気ヘッド
１８ａ  第１の磁気ヘッド
１８ｂ  第２の磁気ヘッド
２１  外部インターフェイス部
２２  カードリーダ主制御部
２３  書込み信号生成器
２４  波形変形装置
２５  乱数発生器
２６  第１のドライバ
２７  第２のドライバ
２８  第１の増幅器
２９  第２の増幅器
３０  波形正規化装置
３１  波形判定装置
３２  信号読取器
３３  ピークシフト特定装置
３４  ピークシフト補正装置
【図１】
2005116993.tif 000002
【図２】
2005116993.tif 000003
【図３】
2005116993.tif 000004
【図４】
2005116993.tif 000005
【図５】
2005116993.tif 000006
【図６】
2005116993.tif 000007
【図７】
2005116993.tif 000008
【図８】
2005116993.tif 000009
【図９】
2005116993.tif 000010
【図１０】
2005116993.tif 000011
【図１１】
2005116993.tif 000012
【図１２】
2005116993.tif 000013
【図１３】
2005116993.tif 000014
【図１４】
2005116993.tif 000015
【図１５】
2005116993.tif 000016
【図１６】
2005116993.tif 000017
【図１７】
2005116993.tif 000018
【図１８】
2005116993.tif 000019
【国際調査報告】
2005116993.tif 000020
2005116993.tif 000021
2005116993.tif 000022
2005116993.tif 000023
2005116993.tif 000024
2005116993.tif 000025
2005116993.tif 000026
2005116993.tif 000027